(57)【特許請求の範囲】
【請求項１】
複数の区画を有する建物に設けられ、前記複数の区画の全体で消費された総電力量を示す総電力量情報を取得する総電力量情報取得部と、
前記総電力量に応じた前記区画毎の消費電力量を示す個別電力量情報を取得する個別電力量取得部と、
前記区画毎に定められた所定期間毎の消費電力量の上限値を示す上限値情報と、前記所定期間内の第１所定日における前記個別電力量情報と、前記第１所定日から前記所定期間が経過するまでの第１残期間を示す残期間情報とに応じて、前記第１残期間の前記消費電力量を予測し、前記所定期間が経過するときの前記消費電力量が前記上限値を超えてしまう場合、前記所定期間が経過するときの前記消費電力量が前記上限値を超えないように前記区画に設けられる電気機器の動作を制御するための第１制御情報を出力し、その後、前記上限値情報と、前記所定期間内の前記第１所定日より後の第２所定日における前記個別電力量情報と、前記第２所定日から前記所定期間が経過するまでの第２残期間を示す前記残期間情報とに応じて、前記第２残期間の前記消費電力量を予測し、前記所定期間が経過するときの前記消費電力量が前記第１制御情報に基づく前記消費電力量よりも少ない場合、前記第１制御情報に基づく制御を解除するための第２制御情報を出力する制御情報出力部と、
を有することを特徴とする電気機器管理システム。
【請求項２】
前記電気機器の稼働時間を示す稼働時間情報を取得する稼働時間情報取得部を有し、  前記個別電力量取得部は、  前記電気機器の単位時間あたりの消費電力量を示す単位電力量情報に前記稼動時間情報を乗じることにより前記個別電力量情報を取得することを特徴とする請求項１に記載の電気機器管理システム。
【請求項３】
前記電気機器には、空気調和機が含まれており、
前記制御情報出力部は、
前記空気調和機の設定温度を変更するための制御情報を出力することを特徴とする請求項１又は２に記載の電気機器管理システム。
【請求項４】
前記電気機器には、照明器具が含まれており、
前記制御情報出力部は、
前記照明器具による照度を変更するための制御情報を出力することを特徴とする請求項１又は２に記載の電気機器管理システム。
【請求項５】
前記上限値情報を記憶する上限値情報記憶部と、この上限値情報を設定するための設定部とを有することを特徴とする請求項１から４の何れか１項に記載の電気機器管理システム。
【発明の詳細な説明】
【技術分野】
【０００１】
本発明は、電気機器管理システムに関する。
【背景技術】
【０００２】
複数のビルディングに設置されている空気調和機の運転状態を、遠隔地から集中管理するシステムが知られている（例えば特許文献１を参照）。このシステムでは、ビルディング毎に空気調和機の運転状態が最適化されている。
【先行技術文献】
【特許文献】
【０００３】
【特許文献１】特開２００７−１１３９１３号公報
【発明の概要】
【発明が解決しようとする課題】
【０００４】
一般に、商用のビルディングには複数の区画が設けられており、区画毎にテナントが入居している。一方、省エネ法の改正により、企業単位での省エネつまり消費電力削減が必要になったために、従来は省エネ法の対象外であったビル内の個々のテナント部分が対象となるケースが増えている。省エネ法の対象となることで、テナント単位で消費電力を削減する必要が生じ、各テナントの事情に合わせた消費電力量の管理・制御が要求されるようになった。また、近年は、省エネ志向の高まりにより、例えば１か月間の目標電力量を設定して、その範囲内に消費電力量が納まるように、空調、照明等の負荷機器を制御することが行われるようになってきた。
【０００５】
しかしながら、従来は、空気調和機をビル単位で管理していたので、テナントビル等の入居者（テナント）が個別に目標設定したり、個別に消費電力量のデータを収集することができなかった。
【０００６】
本発明は、このような事情に鑑みてなされたものであり、その目的は、区画毎に消費電力量の上限値を越えないように管理することにある。
【課題を解決するための手段】
【０００７】
上記目的を達成するため、本発明の電気機器管理システムは、複数の区画を有する建物に設けられ、前記複数の区画の全体で消費された総電力量を示す総電力量情報を取得する総電力量情報取得部と、前記総電力量に応じた前記区画毎の消費電力量を示す個別電力量情報を取得する個別電力量取得部と、前記区画毎に定められた所定期間毎の消費電力量の上限値を示す上限値情報と、前記所定期間内の第１所定日における前記個別電力量情報と、前記第１所定日から前記所定期間が経過するまでの第１残期間を示す残期間情報とに応じて、前記第１残期間の前記消費電力量を予測し、前記所定期間が経過するときの前記消費電力量が前記上限値を超えてしまう場合、前記所定期間が経過するときの前記消費電力量が前記上限値を超えないように前記区画に設けられる電気機器の動作を制御するための第１制御情報を出力し、その後、前記上限値情報と、前記所定期間内の前記第１所定日より後の第２所定日における前記個別電力量情報と、前記第２所定日から前記所定期間が経過するまでの第２残期間を示す前記残期間情報とに応じて、前記第２残期間の前記消費電力量を予測し、前記所定期間が経過するときの前記消費電力量が前記第１制御情報に基づく前記消費電力量よりも少ない場合、前記第１制御情報に基づく制御を解除するための第２制御情報を出力する制御情報出力部と、を有することを特徴とする。
【発明の効果】
【０００８】
本発明によれば、総電力量に応じて区画毎の消費電力量が取得され、この消費電力量と区画毎の消費電力量の上限値と所定期間経過までの残期間とに応じて、消費電力量の上限値を超えないように各区画に設けられた電気機器を制御する。これにより、消費電力の上限値を越えないように、各区画の電気機器を管理できる。
【図面の簡単な説明】
【０００９】
【図１】電気機器管理システムの構成を説明する図である。
【図２】（ａ）はホストコンピューターの構成を説明するブロック図である。（ｂ）はメモリーに設けられた記憶領域を説明する図である。
【図３】（ａ）は空気調和機が備える制御系の構成を説明するブロック図である。（ｂ）はメモリーに設けられた記憶領域を説明する図である。
【図４】（ａ）は蛍光灯ユニットが備える制御系の構成を説明するブロック図である。（ｂ）はメモリーに設けられた記憶領域を説明する図である。
【図５】動作を説明するフローチャートである。
【図６】変更の要否を判断する処理を説明する図であり、休日の考慮によって変更が不要と判断される場合の処理を説明する図である。
【図７】変更の要否を判断する処理を説明する図であり、休日を考慮しても変更を要すると判断される場合の処理を説明する図である。
【図８】変更の要否を判断する処理を説明する図であり、設定した変更処理を解除する場合の処理を説明する図である。
【発明を実施するための形態】
【００１０】
＝＝＝第１実施形態＝＝＝＜システムの全体構成＞  以下、本実施形態の電気機器管理システムについて説明する。図１に示すように、この電気機器管理システムは、複数のテナント２Ａ，２Ｂが入居するビルディング１（建物）の電気機器の動作を管理するものである。ビルディング１には複数の区画が設けられており、各区画にテナント２Ａ，２Ｂが入居している。
【００１１】
テナント２Ａが入居する区画には、複数台の空気調和機１０Ａ〜１０Ｇ（電気機器）と、室外機２０Ａ（電気機器）と、通信アダプタ３０Ａと、複数の蛍光灯ユニット４０Ａ〜４０Ｃ（電気機器）とが設置されている。同様に、テナント２Ｂが入居する区画にも、複数台の空気調和機１０Ｈ〜１０Ｎと、室外機２０Ｂと、通信アダプタ３０Ｂと、複数の蛍光灯ユニット４０Ｄ〜４０Ｆとが設置されている。そして、ビルディング１には、複数の蛍光灯ユニット４０Ａ〜４０Ｆと個別に通信可能な照明インタフェース５０と、各テナント２Ａ，２Ｂの全体で消費された総電力量を出力するＲＳ盤６０（制御盤，総電力量情報出力部）とが設けられている。
【００１２】
ホストコンピューター１００（総電力量情報取得部，個別電力量取得部，制御情報出力部）は、通信アダプタ３０Ａ，３０Ｂを介して各空気調和機１０Ａ〜１０Ｎや室外機２０Ａ，２０Ｂと個別に通信可能な状態で接続されている。また、照明インタフェース５０を介して各蛍光灯ユニット４０Ａ〜４０Ｆと通信可能な状態で接続されている。
【００１３】
＜ホストコンピューター１００について＞  図２（ａ）に示すように、ホストコンピューター１００は、制御部１１０と、タイマー１２０と、通信用インタフェース１３０とを有する。
【００１４】
制御部１１０は、ＣＰＵ１４０とメモリー１５０とを有しており、ＣＰＵ１４０がメモリー１５０に記憶されたプログラムを実行することで、各種の制御動作が実現される。タイマー１２０は、制御上必要とされる時間情報を出力する。通信用インタフェース１３０は、ホストコンピューター１００における通信を制御する。
【００１５】
メモリー１５０の一部領域は、図２（ｂ）に示すように、プログラム記憶領域１５１、上限値情報記憶領域１５２、カレンダー情報記憶領域１５３、識別情報記憶領域１５４、総電力量情報記憶領域１５５、単位電力量情報記憶領域１５６、個別電力量情報記憶領域１５７、第１消費電力量情報記憶領域１５８、及び、第２消費電力量情報記憶領域１５９として用いられている。
【００１６】
プログラム記憶領域１５１には、ＣＰＵ１４０によって読み出されて実行されるプログラムが記憶されている。
【００１７】
上限値情報記憶領域１５２には、１ヶ月（所定期間）あたりの消費電力量の上限値が、テナント毎に記憶されている。図１の例では、テナント２Ａとテナント２Ｂのそれぞれについて、１ヶ月間に消費してもよい消費電力量の上限値が記憶されている。この上限値は、テナント２Ａ，２Ｂの契約内容によって定めてもよいし、あるいは、省エネのための目標消費電力量を設定してもよい。テナント毎に省エネ目標を定め、その目標値を初期値として設定することができる。従って、これは、消費電力量をそれ以下に抑えるための目標上限値である。そして、ホストコンピューター１００は、この目標上限値をテナント別に設定することができるようになっている。即ち、目標上限値の設定手段を有する。
【００１８】
カレンダー情報記憶領域１５３には、各テナント２Ａ，２Ｂの１ヶ月毎のカレンダー情報が記憶されている。例えば、テナント２Ａの営業日と休日、及び、テナント２Ｂの営業日と休日を示す情報が、１ヶ月毎に記憶されている。
【００１９】
識別情報記憶領域１５４には、ホストコンピューター１００と通信可能な電気機器について、その電気機器を示す識別情報が記憶されている。例えば、各空気調和機１０Ａ〜１０Ｎ、各室外機２０Ａ，２０Ｂ、各蛍光灯ユニット４０Ａ〜４０Ｆ、ＲＳ盤６０について、それぞれの機器を示す固有の識別情報が記憶されている。従って、ホストコンピューター１００は、受信した情報に含まれる識別情報を、識別情報記憶領域１５４に記憶された識別情報と照合することで、受信した情報が何れの電機機器から送信されたものかを認識できる。
【００２０】
総電力量情報記憶領域１５５には、複数のテナント２Ａ，２Ｂの全体で消費された総電力量を示す総電力量情報（第１総電力量情報）が記憶されている。この総電力量情報は、ＲＳ盤６０から送信された消費電力量の情報（第２総電力量情報）に基づいて取得される。例えば、ＲＳ盤６０から１０分毎に送信される１０分間の消費電力量を順次積算することで取得される。
【００２１】
単位電力量情報記憶領域１５６には、各電気機器の単位時間あたりの消費電力量（単位電力量）を示す単位電力量情報が記憶される。この実施形態では、空気調和機１０Ａ〜１０Ｎや蛍光灯ユニット４０Ａ〜４０Ｆの単位電力量を示す情報が、各機器を示す識別情報と対応付けられた状態で記憶されている。
【００２２】
個別電力量情報記憶領域１５７には、所定期間の初日から各テナント２Ａ，２Ｂで消費された１０分毎の電力量の積算値である個別電力量を示す個別電力量情報が記憶される。この個別電力量は、総電力量情報に基づく総電力量を、各テナントに設けられた特定の電気機器の使用比率で案分することで算出される。本実施形態では、まず、各空気調和機１０Ａ〜１０Ｎから送られてくる稼働時間情報に、対応する単位電力量情報を乗じて、各空気調和機１０Ａ〜１０Ｎの消費電力量を算出する。次に、算出した消費電力量をテナント単位で合算し、テナント２Ａ，２Ｂ毎の消費電力量を算出する。そして、総電力量をテナント２Ａ，２Ｂ毎の消費電力量で案分することにより、個別電力量を算出する。
【００２３】
第１消費電力量情報記憶領域１５８には、平日の単位期間あたりの消費電力量をテナント２Ａ，２Ｂ毎に示す第１消費電力量情報が記憶されている。本実施形態における第１消費電力量情報は、平日１日あたりのテナント２Ａ，２Ｂ毎の消費電力量を示す情報である。この第１消費電力量情報は、個別電力量情報に基づく個別電力量から算出される。例えば、カレンダー情報を参照することで平日の個別電力量情報を抽出し、抽出した期間の個別電力量情報を１日あたりの電力量に変換することで算出される。
【００２４】
第２消費電力量情報記憶領域１５９には、休日の単位期間あたりの消費電力量をテナント２Ａ，２Ｂ毎に示す第２消費電力量情報が記憶されている。本実施形態における第２消費電力量情報は、休日１日あたりのテナント毎の消費電力量を示す情報である。この第２消費電力量情報も、第１消費電力量情報と同様に個別電力量から算出される。
【００２５】
なお、これらの第１消費電力量情報及び第２消費電力量情報は、システムの動作に伴って生成されるが、システムの動作開始直後においては必要な情報が揃っていない。このため、動作開始直後の期間においては、予め記憶させた初期値（標準的な値）を用いて動作させる。そして、得られた情報に基づいて初期値を変更する。
【００２６】
＜空気調和機１０について＞  図３（ａ）に示すように、空気調和機１０（１０Ａ〜１０Ｎ）は、制御部１１と、タイマー１２と、通信用インタフェース１３とを有する。    制御部１１は、各種の制御動作を実行する部分であり、ＣＰＵ１４とメモリー１５とを有する。タイマー１２は、制御上必要とされる時間情報を出力する。通信用インタフェース１３は、空気調和機１０における通信を制御する。    メモリー１５の一部領域は、図３（ｂ）に示すように、プログラム記憶領域１５ａ、識別情報記憶領域１５ｂ、及び、設定温度情報記憶領域１５ｃとして用いられている。
【００２７】
プログラム記憶領域１５ａには、ＣＰＵ１４によって読み出されて実行されるプログラムが記憶されている。    識別情報記憶領域１５ｂには、その空気調和機１０を示す固有の識別情報が記憶されている。この識別情報は、空気調和機１０が情報を送受信する際に用いられる。例えば、空気調和機１０は、その空気調和機１０における稼働時間を示す稼働時間情報を送信する際において、送信情報の中に識別情報を含ませる。なお、稼働時間情報は、タイマーからの時間情報に基づき、制御部１１が取得する。これにより、ホストコンピューター１００は、受信した稼働時間情報が何れの空気調和機１０Ａ〜１０Ｎのものかを認識できる。
【００２８】
また、空気調和機１０は、設定温度を変更するための温度制御情報を受信する際に、対応する識別情報が含まれた温度制御情報を受信する。これにより、空気調和機１０は、温度制御情報の受信時に、対象となる温度制御情報を選択して受信できる。
【００２９】
設定温度情報記憶領域１５ｃには、その空気調和機１０における設定温度を示す設定温度情報が記憶されている。制御部１１は、設定温度情報を参照することで設定温度を認識し、空気調和機１０が有する冷却機構（不図示）を制御する。従って、設定温度情報の内容を書き換えることで、空気調和機１０による冷却度合いを制御できる。
【００３０】
＜蛍光灯ユニット４０について＞  図４（ａ）に示すように、蛍光灯ユニット４０（４０Ａ〜４０Ｆ）は、制御部４１と、通信用インタフェース４２とを有する。
【００３１】
制御部４１は、各種の制御動作を実行する部分であり、ＣＰＵ４３とメモリー４４とを有する。通信用インタフェース４２は、蛍光灯ユニット４０における通信を制御する。
【００３２】
メモリー４４の一部領域は、図４（ｂ）に示すように、プログラム記憶領域４４ａ、識別情報記憶領域４４ｂ、及び、照度情報記憶領域４４ｃとして用いられている。
【００３３】
プログラム記憶領域４４ａには、ＣＰＵ４３によって読み出されて実行されるプログラムが記憶されている。    識別情報記憶領域４４ｂには、その蛍光灯ユニット４０Ａ〜４０Ｆを示す固有の識別情報が記憶されている。この識別情報は、蛍光灯ユニット４０が情報を送受信する際に用いられる。例えば、蛍光灯ユニット４０は、その蛍光灯ユニット４０における照度を変更するための照度制御情報を受信する際に、対応する識別情報が含まれた照度制御情報を受信する。これにより、蛍光灯ユニット４０は、照度制御情報の受信時に、必要な照度制御情報を選択して受信できる。
【００３４】
なお、空気調和機１０と同様に、蛍光灯ユニット４０の稼働時間を示す稼働時間情報を送信する場合には、送信情報の中に識別情報を含ませる。
【００３５】
照度情報記憶領域４４ｃには、その蛍光灯ユニット４０における照度を示す照度情報が記憶されている。制御部４１は、照度情報を参照することによって照度の設定値を認識し、蛍光灯に対する制御を行う。従って、照度情報の内容を書き換えることで、蛍光灯の照度を変更できる。
【００３６】
＜システムの動作について＞  次に、電気機器管理システムの動作について説明する。図５に示すように、このシステムでは、まず、ホストコンピューター１００によって、情報の取得タイミングか否かを判断する（Ｓ１）。例えば、タイマー１２０による時間情報に基づき、動作開始タイミング又は前回の情報取得タイミングから１０分間（所定期間）経過したか否かが判断される。
【００３７】
情報取得タイミングが到来したと判断された場合、ホストコンピューター１００は、消費電力量の情報を要求する指令を、ＲＳ盤６０に対して送信する（Ｓ２）。この要求を受信したＲＳ盤６０は、１０分間の消費電力量をホストコンピューター１００に返信する（Ｓ３）。情報の送受信に際し、ＲＳ盤６０は、返信情報に識別情報を含ませている。このため、ホストコンピューター１００は、識別情報を照合することで、受信した情報がＲＳ盤６０からの情報であることを認識する。また、ホストコンピューター１００は、稼働時間情報を要求する指令を、各空気調和機１０Ａ〜１０Ｎに対して送信する（Ｓ４）。この要求を受信した各空気調和機１０Ａ〜１０Ｎは、それぞれの稼働時間情報をホストコンピューター１００へ返信する（Ｓ５）。この場合も、ホストコンピューター１００は、返信情報に含まれる識別情報を照合することで、返信情報が何れの空気調和機１０Ａ〜１０Ｎからの情報かを認識する。
【００３８】
各空気調和機１０Ａ〜１０Ｎからの稼働時間情報を取得したならば、ホストコンピューター１００は、テナント２Ａ，２Ｂ毎の個別電力量を算出する（Ｓ６）。前述したように、ホストコンピューター１００は、各空気調和機１０Ａ〜１０Ｎからの稼働時間情報に単位電力量情報を乗じて、各空気調和機１０Ａ〜１０Ｎの消費電力量を算出する。次に、算出した消費電力量をテナント２Ａ，２Ｂ単位で合算することで、テナント２Ａ，２Ｂ毎の消費電力量を算出する。そして、取得した総電力量を、テナント２Ａ，２Ｂ毎の消費電力量で案分することにより、テナント２Ａ，２Ｂ毎の個別電力量を算出する。そして、算出された個別電力量を示す個別電力量情報が記憶される。
【００３９】
次に、ホストコンピューター１００は、空気調和機１０Ａ〜１０Ｎに対する温度調整が必要か否かを判断する（Ｓ７）。この判断は、上限値情報、カレンダー情報、個別電力量情報、第１消費電力量情報、及び、第２消費電力量情報に基づいて行われ、現在の電力消費がこのまま続くと仮定して、所定期間（１ヶ月）の末日に至った時に個別電力量が消費電力量の上限値を越えるか否かを予測して判断される。ホストコンピューター１００は、上限値を越える場合に温度調整が必要と判断し、変更内容を示す制御情報を生成する。また、必要に応じて、蛍光灯ユニット４０における照度を変更するための制御情報も生成する。なお、温度調整要否の判断等については、後で説明する。
【００４０】
ステップＳ７で温度調整は不要と判断した場合、ホストコンピューター１００は、ステップＳ１からの処理を繰り返し行う。一方、ステップＳ７で温度調整が必要と判断した場合、ホストコンピューター１００は、空気調和機１０Ａ〜１０Ｎの少なくとも一つについて動作を停止させるか否かを判断する（Ｓ８）。すなわち、ステップＳ７で動作停止を示す制御情報が生成されたか否かを判断する。ここで、制御情報が生成されている場合、停止の対象となる空気調和機１０に対し、制御情報を送信する（Ｓ９）。このとき、ホストコンピューター１００は、停止の対象となる空気調和機１０を示す識別情報を送信情報に含ませる。このため、各空気調和機１０Ａ〜１０Ｎは、識別情報を照合することで、自身が停止の対象であるか否かを認識できる。
【００４１】
ステップＳ８にて停止は不要と判断した場合、ホストコンピューター１００は、空気調和機１０Ａ〜１０Ｎの少なくとも一つに対して、温度を変更するための制御情報を送信する（Ｓ１０）。ここで、空気調和機１０Ａ〜１０Ｎが冷房運転している場合、制御情報は、設定温度を上昇させる内容に定められる。一方、暖房運転している場合、制御情報は、設定温度を下降させる内容に定められる。なお、送信情報に識別情報を含ませている点は、動作停止の制御情報と同じである。
【００４２】
動作停止の制御情報、或いは、温度変更の制御情報に基づき、対象となる空気調和機１０Ａ〜１０Ｎは、制御情報の内容に従って動作を変更する（Ｓ１１）。すなわち、動作を停止したり、設定温度を変更したりする。なお、設定温度の変更に際しては、前述したように、設定温度情報記憶領域１５ｃに記憶された設定温度情報の書き換えが行われる。
【００４３】
動作停止や設定温度変更の制御情報を送信したならば、ホストコンピューター１００は、照度を調整するか否かを判断する（Ｓ１２）。すなわち、ステップＳ７で照度変更を示す制御情報が生成されたか否かを判断する。そして、制御情報が生成されている場合、ホストコンピューター１００は、蛍光灯ユニット４０Ａ〜４０Ｆの少なくとも一つに対して、照度を変更するための制御情報を送信する（Ｓ１３）。そして、蛍光灯ユニット４０Ａ〜４０Ｆは、照度変更の対象か否かを判断する。そして、対象となる場合には照度を変更する（Ｓ１４）。すなわち、照度情報記憶領域４４ｃに記憶された照度情報の内容を書き換える。
【００４４】
照度を調整しないと判断した後、若しくは、照度変更を示す制御情報を送信した後、ホストコンピューター１００は、ステップＳ１に戻って以降の処理を繰り返し行う。
【００４５】
＜温度調整要否の判断等について＞  次に、温度調整要否の判断や制御情報の内容について説明する。図６では、休日の消費電力量を考慮することで温度調整が不要になるケースを模式的に説明している。図６において、縦軸は、１つのテナント２における消費電力量、すなわち個別電力量を示している。縦軸において、一点鎖線で示す電力量は、そのテナント２における消費電力量の目標上限値である。横軸は、１ヶ月（更新期間）内における経過期間を示しており、単位は日である。横軸において、ａ−ｂ間、ｃ−ｄ間、及び、ｅ−ｆ間は休日である。なお、縦軸や横軸の関係は、図７や図８においても同様である。
【００４６】
図６の例において、ａ日の経過時点における第１消費電力量（平日１日あたりの個別電力量）は、符号θ１で示す値に定められている。また、第２消費電力量（休日１日あたりの個別電力量）は、初期値であるほぼゼロに定められている。そこで、ホストコンピューター１００は、第１消費電力量を値θ１とし、第２消費電力量をほぼ０として、残期間であるａ−ｇ間の個別電力量を予測する。すなわち、平日は、１日あたり値θ１ずつ個別電力量が増えると仮定し、休日は、消費電力量がほぼ０としてｇ日での個別電力量を算出する。
【００４７】
この例において、ｇ日での個別電力量は、目標上限値よりも僅かに下まわっているため、ホストコンピューター１００は、空気調和機１０Ａ〜１０Ｎに対する温度調整や蛍光灯ユニット４０に対する照度調整を行わなくてもよいと判断する。従って、図５のステップＳ７にて温度調整は不要と判断し、ステップＳ１に移行する。
【００４８】
図７では、休日の消費電力量を考慮しても温度調整が必要なケースを模式的に説明している。図７の例において、ａ日の経過時点における第１消費電力量は値θ２に定められている。この値θ２は、値θ１よりも大きい値になっている。また、この例でも第２消費電力量はほぼゼロに定められている。そこで、ホストコンピューター１００は、第１消費電力量を値θ２とし、第２消費電力量をほぼ０として、残期間の個別電力量を予測する。この場合、ｅ日の直前で個別電力量が目標上限値を越えてしまうので、ホストコンピューター１００は、電力消費を抑えるために、例えば冷房運転の場合、空気調和機１０Ａ〜１０Ｎの設定温度を上げる等の制御が必要と判断する。そして、ホストコンピューター１００は、ｇ日にて個別電力量が上限値を僅かに下回る程度となるように第１消費電力量の値θ３を算出し、この値θ３になるように空気調和機１０Ａ〜１０Ｎの設定温度を決定する。ホストコンピューター１００は、空気調和機１０Ａ〜１０Ｎの設定温度を変更するための制御情報を生成する。尚、この温度調整によっても消費電力の削減量が足りない場合には、ホストコンピューター１００は、空気調和機１０Ａ〜１０Ｎの幾つかを停止するための制御情報を更に生成する。この制御情報は、図５のステップＳ１０にて、対象となる空気調和機１０Ａ〜１０Ｎに対して送信される。
【００４９】
図８では、図７のように温度調整即ち空気調和機１０Ａ〜１０Ｎの出力調整をした後、この調整を解除するケースを模式的に説明している。図８の例において、ホストコンピューター１００は、ｈ日が経過した時点において、第１消費電力量が値θ３よりも小さな値θ４であると判断する。そして、この値θ４を用いて残りのｈ−ｇ間における個別電力量を再計算する。この例において、ｇ日の経過時点の個別電力量が目標上限値よりも十分に少ない。このため、ホストコンピューター１００は、空気調和機１０Ａ〜１０Ｎの設定温度の変更が不要と判断し、先の設定を解除する、即ち、基の温度設定に戻すための解除用の制御情報を生成する。この制御情報は、図５のステップＳ１０にて、対象となる空気調和機１０Ａ〜１０Ｎに対して送信される。これにより、対象となる空気調和機１０Ａ〜１０Ｎは、本来の設定温度で動作をする。
【００５０】
＝＝＝他の実施形態＝＝＝  前述した実施形態は、本発明の理解を容易にするためのものであり、本発明を限定して解釈するためのものではない。本発明はその趣旨を逸脱することなく変更や改良等が可能であり、また本発明はその等価物も含むものである。
【００５１】
建物に関し、上記の実施形態ではビルディング１を例示したが、複数の区画を有する建物であれば、ビルディング１以外であってもよい。
【００５２】
個別電力量の取得に関し、上記の実施形態では、各電気機器の消費電力の違いを考慮し、稼働時間に単位時間あたりの消費電力量を乗じていたが、これに限られない。各電気機器の消費電力が概ね揃っていれば、総電力量を稼働時間の比率で案分することによって、テナント２毎の個別電力量を取得してもよい。
【００５３】
制御の対象に関し、上記の実施形態では、単位時間あたりの消費電力が大きく、かつ、長時間運転される空気調和機１０を制御の対象にしたが、他の電気機器を制御の対象にしてもよい。例えば、冬期に運転されるヒーターを制御の対象にしてもよい。
【００５４】
管理上の期間（所定期間）に関し、上記の実施形態では、月毎に管理していたが、週毎に管理してもよく、日ごとに管理してもよい。すなわち、所定期間は、月、週、日の何れでもよい。なお、休日を考慮する場合、所定期間は、月や週となる。また、日ごとに管理する場合、休日に代えて非営業時間を用いてもよい。
【符号の説明】
【００５５】
１…ビルディング，２（２Ａ，２Ｂ）…テナント，１０（１０Ａ〜１０Ｎ）…空気調和機，１１…制御部，１２…タイマー，１３…通信用インタフェース，１４…ＣＰＵ，１５…メモリー，１５ａ…プログラム記憶領域，１５ｂ…識別情報記憶領域，１５ｃ…設定温度情報記憶領域，２０（２０Ａ，２０Ｂ）…室外機，３０（３０Ａ，３０Ｂ）…通信アダプタ，４０（４０Ａ〜４０Ｆ）…蛍光灯ユニット，４１…制御部，４２…通信用インタフェース，４３…ＣＰＵ，４４…メモリー，４４ａ…プログラム記憶領域，４４ｂ…識別情報記憶領域，４４ｃ…照度情報記憶領域，５０…照明インタフェース，６０…ＲＳ盤，１００…ホストコンピューター，１１０…制御部，１２０…タイマー，１３０…通信用インタフェース，１４０…ＣＰＵ，１５０…メモリー，１５１…プログラム記憶領域，１５２…上限値情報記憶領域，１５３…カレンダー情報記憶領域，１５４…識別情報記憶領域，１５５…総電力量情報記憶領域，１５６…単位電力量情報記憶領域，１５７…個別電力量情報記憶領域，１５８…第１消費電力量情報記憶領域，１５９…第２消費電力量情報記憶領域
【図１】
0005425582.tif 000002
【図２】
0005425582.tif 000003
【図３】
0005425582.tif 000004
【図４】
0005425582.tif 000005
【図５】
0005425582.tif 000006
【図６】
0005425582.tif 000007
【図７】
0005425582.tif 000008
【図８】
0005425582.tif 000009